(57)【要約】【課題】  複数の印刷モードが存在する印刷装置において、複数の印刷モードに対する画像の指定方法を切り替えることなく、複数の印刷モードに対応した画像指定を簡単に行うこと。【解決手段】  本発明は、画像の指定回数によって指定の種類を変更することにより、印刷モードを切り替えることなく複数の印刷モードに対応する印刷指定を簡単に行うことが可能となる。【選択図】  図３
2012144006.tif 000002
【特許請求の範囲】
【請求項１】
複数の印刷を行う印刷手段と、印刷画像を指定する手段を持ち、モードごとに印刷指定画像を指定する際、画像を指定する回数によって複数の印刷モードに対応した画像の指定を判別することを可能とする画像印刷装置。
【請求項２】
前記印刷画像の指定手段は、1回目の指定をあらかじめ定めておいた印刷モードの印刷指定画像として割り当て、2回目以降は、通常の印刷指定画像として１枚指定から順に指定されるたびに指定枚数を増やしていくことを特徴とする請求項１に記載の画像印刷装置。
【請求項３】
前記指定した印刷画像の１回目に指定された画像にチェックマークをつけることを特徴とする請求項２に記載の画像印刷装置。
【請求項４】
前記指定した印刷指定画像の１回目に指定された画像をフォトブック指定画像とし、枚数指定された画像を通常の印刷用画像として印刷する請求項２に記載の画像印刷装置。
【請求項５】
前記指定した印刷指定画像の1回目に指定された画像と、枚数指定された画像をフォトブック指定画像とし、枚数指定された画像を通常の印刷用画像として印刷する請求項２に記載の画像印刷装置。
【請求項６】
複数の印刷モード用に指定された画像指定情報で、自動プリントファイルと、自動送信ファイルを作成することを特徴とする請求項１に記載の画像印刷装置。
【請求項７】
自動送信ファイルには、1回目に指定された画像の情報を記載し、自動プリントファイルには、枚数指定された画像情報を記載することを特徴とする請求項６に記載の画像印刷装置。
【請求項８】
自動送信ファイルには、1回目に指定された画像の情報と枚数指定された画像情報を記載し、自動プリントファイルには、枚数指定された画像情報を記載することを特徴とする請求項６に記載の画像印刷装置。
【発明の詳細な説明】
【技術分野】
【０００１】
本発明は、画像に対して複数種類の印刷を行う際に印刷指定を簡単に行うための印刷指定方法に関する。
【背景技術】
【０００２】
従来の印刷画像指定方法には、画像を指定するための選択情報を各モードに応じた表示形態で表示手段に表示させる制御手段を備えたものがある(特許文献１参照)。
【先行技術文献】
【特許文献】
【０００３】
【特許文献１】特開２００６−９４４２６号公報
【発明の概要】
【発明が解決しようとする課題】
【０００４】
しかしながら、従来技術によると、画像を指定するためにはまず複数のモードからモードを選択しモードを切り替えた上で画像指定を行うため、使用者にはモードを切り替える手間は発生してしまう。
【課題を解決するための手段】
【０００５】
本発明に係る画像印刷装置は、複数の印刷を行う印刷手段と、印刷画像を指定する手段を持ち、モードごとに印刷指定画像を指定する際、画像を指定する回数によって複数の印刷モードに対応した画像の指定を判別することを可能とする画像印刷装置である。
【発明の効果】
【０００６】
本発明によれば、使用者がモードを切り替えることなく、複数の印刷モードに対応した画像指定を簡単に行うことができる。
【０００７】
また、複数の印刷の種類に対応した画像指定情報から、自動プリントファイルと自動送信ファイルを作成することができる。
【図面の簡単な説明】
【０００８】
【図１】本発明の一、二実施形態に係る印刷装置の構成を表すブロック図である。
【図２】本発明の一、二実施形態に係る印刷装置の操作部である。
【図３】本発明の一実施形態に係る印刷装置の画像に対する印刷指定の流れを示すフローチャートである。
【図４】本発明の一実施形態に係る印刷指定画像の処理の流れを示すフローチャートである。
【図５】本発明の一実施形態に係る画像選択画面である。
【図６】本発明の一実施形態に係る印刷装置の印刷確認画面である。
【図７】本発明の一実施形態に係る印刷装置で印刷された印刷結果の例である。
【図８】本発明の二実施形態に係る印刷装置の動作を示すフローチャートである。
【図９】本発明の二実施形態に係る印刷指定画像を用いた自動プリントファイルと自動送信ファイルの例である。
【発明を実施するための形態】
【０００９】
以下に、本発明の好ましい実施の形態を、添付の図面に基づいて詳細に説明する。
【００１０】
［実施例１］
図１は本発明の一実施形態に係る印刷装置の構成を表すブロック図である。
【００１１】
バス１０１は各ブロックを接続するバスで、ブロック間のデータのやり取りはバスを通して行われる。
【００１２】
ＩＯ制御部１０３はメモリカード１０２へのデータの読み書きを制御している。
【００１３】
メモリカードはバス１０１に直接接続できないのでＩＯ制御部１０３を通して各ブロックとデータのやり取りを行う。
【００１４】
１０４は画像再生部である。画像再生部ではＩＯ制御部１０３を通してメモリカード１０２に保持されている画像データを読み出し、デコード処理を行って表示可能な形式に変換したあと、表示制御部１０６に画像を表示する。
【００１５】
メモリカード１０２内の画像はユニークな識別番号（以下画像ＩＤ）によって管理識別を行う。
【００１６】
画像再生部１０４において再生された画像をユーザーが印刷目的で選択した場合は、画像選択部１０５によって画像選択処理を行う。
【００１７】
印刷画像制御部１０７は画像選択部１０５において選択された画像を印刷モードごとに判別する。
【００１８】
フォトブックレイアウト部１０８は、印刷画像制御部においてフォトブック印刷用と判別された画像をもとに自動レイアウトを行う。
【００１９】
印刷指定ファイル作成部１０９は、印刷画像制御部１０７において判別された画像指定情報をもとに、通常印刷用の自動プリントファイルとフォトブック用の自動送信ファイルに分けて作成する。
【００２０】
表示制御部１０６は各ブロックからの表示要求に対応してＬＣＤ２００５に表示する表示画面データを作成し、ＬＣＤ２００５に表示画面を表示させるための制御を行う。
【００２１】
印刷部１１３は印刷データ生成部１１２によって生成された印刷データの各ブロックからの印刷要求に対応し、レイアウトデータ、画像データを印刷用のデータに変換する。印刷データはイエロー（Ｙ）、マゼンタ（Ｍ）、シアン（Ｃ）の３色から構成され用紙一枚分のサイズのＹ／Ｍ／Ｃ各色のデータを順次作成し、Ｙ／Ｍ／Ｃ各色の印刷データを、印刷用紙に印刷する。
【００２２】
ＧＵＩ操作部１１０は図２に示すような操作部材および表示装置（ＬＣＤ２００５）から構成されている。
【００２３】
また、これらの各ブロックは、ＣＰＵ（不図示）によって制御される。ＣＰＵはプログラムメモリ（不図示）からプログラムコードを読み出し、プログラムに基づいて各ブロックの制御を行う。
【００２４】
図２は本発明の一実施形態に係る印刷装置の操作部である。
【００２５】
操作パネル２００１上に各操作部材と表示装置（ＬＣＤ）が配置されている。
【００２６】
２００２はＰＯＷＥＲボタンで本システムの電源の入切に使用される。
【００２７】
２００３はＥＤＩＴボタンでトリミング印刷や印刷設定の変更、画像の編集に使用される。
【００２８】
２００４はＭＥＮＵボタンでメニューの表示に使用される。
２００５は表示装置（ＬＣＤ）は、画像の表示、各種アイコン、印刷設定の表示などに使用される。
【００２９】
２００６は拡大ボタンで表示画像の拡大や、表示モードの切り換えに使用される。
【００３０】
２００７は縮小ボタンで拡大再生中の画像の拡大率を下げる、表示モードの切り換えに使用される。
【００３１】
２００８はＰＲＩＮＴボタンで印刷の開始に使用される。
【００３２】
図３は本発明の一実施形態に係る印刷装置の画像に対する印刷指定の流れを示すフローチャートである。
【００３３】
これらの処理は、ＣＰＵ（不図示）の制御のもとでおこなわれる。
【００３４】
ＰＯＷＥＲボタン２００２を押すと本印刷装置が起動し、ＩＯ制御部１０３がメモリカード１０２内の画像を読み込む。画像再生部１０６がメモリカード１０２内の画像をＬＣＤ２００５に表示を行う。
【００３５】
印刷装置の起動時には、日付の新しい最新の画像をＬＣＤ２００５に表示する。本発明の実施例ではＬＣＤ２００５はタッチパネルとして説明を行うが必ずしもタッチパネルである必要はない。
【００３６】
画像送りはＬＣＤ上に表示された上下左右ボタン(図不示)を使用して行う。上下左右ボタンを使用して指定する画像を表示したのち、画像の指定を行う(ステップＳ３０１)。画像の指定は画像をタッチすることで行うが、タッチパネルでない場合や操作部に＋−ボタンなどの画像を指定する部材がある場合はそれを使用してもよい。
【００３７】
指定した画像がすでに指定されている画像かどうかを判断する（ステップＳ３０２）。指定した画像が未指定の画像だった場合はチェックマークを表示する（ステップＳ３０３）。数字以外ならチェックマーク以外で表現してもよい。指定した画像がチェックマーク指定されていた場合は枚数指定を行う（ステップＳ３０4）。指定した画像に枚数指定がされていた場合は、すでに指定されている指定枚数に＋１を行い、１ずつ枚数指定を増やしていく。
【００３８】
所望の画像指定が終了するまで画像の選択、指定を続ける（ステップＳ３０５）。
【００３９】
図４は本発明の一実施形態に係る印刷装置で指定した印刷指定画像の処理の流れを示すフローチャートである。
【００４０】
印刷画像制御部１０７で印刷画像を指定方法によって画像の判別を行い、その結果に基づいて印刷データ生成部１１２により印刷データの生成が行われる。
【００４１】
ステップＳ４０１で印刷指定されている画像があるかどうかを判断する。ステップＳ４０２で印刷指定されている画像がチェックかどうかを判定し、チェック指定の画像の場合はフォトブック用の画像として指定する（ステップＳ４０３）。印刷枚数指定の画像の場合は、通常の印刷用指定画像として指定する（ステップＳ４０４）。
【００４２】
指定画像の振り分けは未仕分けの印刷指定画像がなくなるまで続ける(ステップＳ４０５)。指定画像の振り分けが終了したら、フォトブック用の指定画像があるかどうかを判別する（ステップＳ４０６）。フォトブック用の指定画像があった場合はフォトブックレイアウト部１０８により、フォトブックの自動レイアウトを行う。その後、印刷処理を行う（ステップＳ４０８）。
【００４３】
図５は本発明の一実施形態に係る印刷装置の画像選択画面である。
【００４４】
図５（ａ）はマルチ表示、図５（ｂ）はシングル表示の画像選択画面の例である。図５（ａ）は複数画像を表示し、一度に多くの画像を確認しながら画像の指定が可能である。画像をタッチして画像の選択を行う。
【００４５】
画像をタッチする回数によって、指定なし→チェックマーク指定→１枚指定→２枚指定・・・と指定を変更していく。図５（ｂ）のように画像を1枚ずつ表示して選択することも可能である。図５（ｂ）のように＋−ボタンが付いている場合は＋−ボタンで画像を指定してもいいし、画像をタッチすることで画像を指定してもよい。
【００４６】
図６（ａ）は印刷指定指定後、印刷指定画像を確認するための印刷確認画面である。印刷画面では指定を行った画像の指定情報を確認することができる。チェックマーク指定画像がある場合は、印刷確認画面から図６（ｂ）のようにフォトブックの自動レイアウトを確認することも可能である。
【００４７】
図７（ａ）はチェックマーク画像のみをフォトブック用画像として指定した場合のフォトブックの印刷結果である。また、図７（ｂ）のようにチェックマークと枚数指定されたものをフォトブック用画像指定としてフォトブックを作成してもよい。
【００４８】
図７（ｃ）は枚数指定を行った画像の印刷結果である。この例では印刷レイアウト設定はすべて１面配置となっているため、指定画像が印刷枚数分印刷されるが、印刷設定が１面配置以外の場合はこの通りではない。
【００４９】
［実施例２］
図８は本発明の二実施形態に係る印刷装置の動作を示すフローチャートである。
【００５０】
ステップＳ８０１で指定画像があるかどうかを判別する。指定画像があった場合、その指定がチェックマークか枚数指定かによって以降の処理を変更する（ステップＳ８０２）。チェック指定の画像だった場合は自動送信ファイル用の画像として記憶しておく（ステップＳ８０３）。一方チェック指定でなく枚数指定の画像であった場合は、自動プリントファイル用の画像として記憶しておく（ステップＳ８０４）。指定済みの画像の判別が終了するまでステップＳ８０２からステップＳ８０４を繰り返す（ステップＳ８０５）。印刷指定画像の処理がすべて終了したら、ステップＳ８０２で振り分けた画像で自動送信ファイルと自動プリントファイルを作成する（ステップＳ８０６）。フォトブック用の画像をチェックマーク指定と枚数指定画像の両方にした場合は、チェックマーク指定画像と枚数指定画像で自動送信ファイルを作成する。
【００５１】
ステップＳ８０６で作成した自動送信ファイルを画像ファイルと一緒にメモリカードに入れ、本印刷装置以外の印刷装置、たとえばフォトブック作成端末などで再生すると、１から画像指定を行うことなく所望の画像で簡単にフォトブックを作成することが可能となる。
【００５２】
ステップＳ８０６で作成した自動プリントファイルを用いることで、本印刷装置で設定した画像指定、指定枚数の設定と同じ設定で本印刷装置以外の印刷装置でも印刷を行うことができる。
【００５３】
図９（ａ）は本発明の二実施形態に係る印刷装置で作成した自動送信ファイルの例である。１つのジョブがフォトブック１つ分の画像指定となる。自動送信ファイルには、ＤＰＯＦバージョン、画像を撮影したカメラの機種名、自動送信ファイルが作成された日付情報、ジョブ番号、ＥＸＩＦのフォーマット情報、画像指定が記載されている。必要があれば、自動送信ファイルのフォーマットにのっとり情報を追加することもできる。
【００５４】
図９（ｂ）は本発明の二実施形態に係る印刷装置で作成した自動プリントファイルの例である。自動プリントファイルには、ＤＰＯＦバージョン、画像を撮影したカメラの機種名、自動プリントファイルが作成された日付情報、印刷ジョブのジョブ番号、印刷タイプ、印刷枚数情報、ＥＸＩＦのフォーマット情報、画像指定が記載されている、必要があれば、自動プリントファイルのフォーマットにのっとり情報を追加することもできる。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５６】
１０１  各ブロックを接続するバス
１０２  ＩＯ制御部
１０３  画像再生部
１０４  画像加工部
１０５  画像選択部
１０６  表示制御部
１０７  印刷画像制御部
１０８  フォトブックレイアウト部
１０９  印刷指定ファイル作成部
１０９  印刷指定ファイル作成部
１１０  ＧＵＩ制御部
１１１  ＧＵＩ操作部
１１２  印刷データ生成部
１１３  印刷部
２００１  操作パネル
２００２  ＰＯＷＥＲボタン
２００３  ＥＤＩＴボタン
２００４  ＤＩＳＰボタン
２００５  ＬＣＤ
２００６  拡大ボタン
２００７  縮小ボタン
２００８  印刷ボタン
【図１】
2012144006.tif 000003
【図２】
2012144006.tif 000004
【図３】
2012144006.tif 000005
【図４】
2012144006.tif 000006
【図５】
2012144006.tif 000007
【図６】
2012144006.tif 000008
【図７】
2012144006.tif 000009
【図８】
2012144006.tif 000010
【図９】
2012144006.tif 000011